(57)【特許請求の範囲】
【請求項１】
背負式作業機（１０）に背負バンド（１６）の上端部を取り付ける取付構造において、
前記背負式作業機（１０）の作業者側となる面に設けられたバンド取付部（２４）と、
前記背負バンド（１６）の上端部（４４）に沿って取り付けられ、一端が前記バンド取付部（２４）にて支持され、他端が前記バンド取付部（２４）から離れる方向において斜め上方に延びるようになっている弾性部材（５４）と
を備えることを特徴とする背負バンドの取付構造。
【請求項２】
前記弾性部材（５４）が前記背負バンド（１６）に脱着可能に取り付けられることを特徴とする請求項１に記載の背負バンドの取付構造。
【発明の詳細な説明】
【技術分野】
【０００１】
本発明は、農作業等に用いられる動力噴霧機、動力散布機或いはブロア装置等の背負式作業機に関し、特に、背負バンドの取付構造に関する。
【背景技術】
【０００２】
従来、背負式作業機の背負バンドは左右一対あり、各バンドの上端と下端が背負い枠の上部と下部の取付部に取り付けられている。背負バンドの取付構造としては従来から種々あるが、背負バンドを取り外して洗浄やその他のメンテナンス等を行うことができるように、例えば下記の特許文献１に記載されているようなものがある。特許文献１に記載のバンド取付構造は、バンド取付部に形成された細孔に背負バンドの端部の筒部を挿入し、その後、筒部にピンを挿入して抜け止めを図るというものである。
【特許文献１】実開昭５１−８７９９７号公報
【発明の開示】
【発明が解決しようとする課題】
【０００３】
しかしながら、上述した特許文献１に記載されているような従来のバンド取付構造においては、背負バンドが自重で上部の取付部から略鉛直方向に垂れ下がり、当該作業機を背負う作業者の背に当たる面（背当て面）と背負バンドとの間の間隙が狭く、腕を通しにくいという問題点がある。
【０００４】
また、垂れ下がっている背負バンドが液体タンクに接触気味となるため、液体タンクに薬液を入れる際、誤ってこぼれた薬液が背負バンド全体を濡らすおそれもある。
【０００５】
そこで、本発明の目的は、上記問題点を解決することのできる背負バンドの取付構造を提供することにある。
【課題を解決するための手段】
【０００６】
上記目的を達成するために、本発明は、背負式作業機（１０）に背負バンド（１６）の上端部を取り付ける取付構造において、背負式作業機（１０）の作業者側となる面に設けられたバンド取付部（２４）と、背負バンド（１６）の上端部（４４）に沿って取り付けられ、一端がバンド取付部（２４）にて支持され、他端がバンド取付部（２４）から離れる方向において斜め上方に延びるようになっている弾性部材（５４）とを備えることを特徴としている。
【０００７】
かかる構成においては、背負バンド（１６）の上部がアーチ状に浮き上がり、背負バンド（１６）と作業者の背当て面との間に広い間隙が形成される。
【０００８】
また、弾性部材（５４）は、メンテナンス性向上のため、背負バンド（１６）に脱着可能に取り付けられることが好適である。
【発明の効果】
【０００９】
以上述べたように、本発明によれば、背負バンドと作業機の背当て面との間に広い間隙が形成されるため、腕を通しやすく、作業機を容易に背負うことが可能となる。これは、液体を扱う噴霧機のような重量のある作業機において、特に有効となる。
【００１０】
また、液体タンクから背負バンドが離れるため、給液中に誤って液体がこぼれても、背負バンドの極く一部しか濡らさないという効果もある。
【発明を実施するための最良の形態】
【００１１】
以下、図面を参照して本発明の好適な実施形態について詳細に説明する。なお、全図を通し同一又は相当部分には同一符号を付すこととする。また、本明細書及び特許請求の範囲で用いられている「上」、「下」等の方向を示す語は、図に示す状態を基準としたものである。
【００１２】
図１は、本発明が適用された背負式作業機の一種である背負式動力噴霧機を示す斜視図である。この動力噴霧機１０は、液体ポンプやエンジン等を搭載する背負い枠１２と、この背負い枠１２の上部に配置され、噴霧すべき薬液を貯留した液体タンク１４と、当該動力噴霧機１０を作業者が背負うための左右一対の背負バンド１６（図１にはその一方のみを示す）とを備えている。作業時、作業者は背負バンド１６を用いて動力噴霧機１０を背負い、ノズル１７を手で操作して所望位置に噴霧を行う。
【００１３】
背負い枠１２の下部の左右各側には、背負バンド１６の下端が取り付けられる下部バンド取付部１８が設けられている。この下部バンド取付部１８は、背負バンド１６の下端に設けられたフック（図５において符号４０で示す）が掛合される孔２２を有している。
【００１４】
また、動力噴霧機１０が作業者に背負われた状態で、作業者の側となる面の上部には、右側寄りと左側寄りの位置にそれぞれ、背負バンド１６の上端を取り付けるための上部バンド取付部２４が設けられている。背負い枠１２及び液体タンク１４の作業者の側となる面には背当て２６が設けられている。
【００１５】
上部バンド取付部２４は、図２〜図４に明示するように、液体タンク１４の前面に形成された凹部２８から構成されている。この凹部２８は、正面から見た場合、図３から理解されるように略矩形形状であり、その幅は背負バンド１６の上端部の幅と同等又は若干大きくされている。凹部２８の左右の側面２８ａ，２８ｂ間には１本のバー３０が架設されている。このバー３０と、凹部２８の底面（後側となる面）２８ｃとの間には、背負バンド１６の上端部を二つ折りした厚さよりも若干大きな幅の隙間３２が形成されている。また、凹部２８の下面２８ｄの左右角部には突起３４が形成されている。
【００１６】
図５に示すように、背負バンド１６は、作業者の肩周りに装着されるバンド本体部３６を備えている。バンド本体部３６は適当な弾力性を有し、作業者の肩に食い込むことがないよう、幅広、厚肉に形成されている。
【００１７】
バンド本体部３６の下端、すなわち下部バンド取付部１８に取り付けられる側の端部には、幅細、薄肉の帯状体３８の一端が縫い着けられ、その他端に前述のフック４０が取り付けられている。なお、この帯状体３８には長さ調整具４２が設けられている。
【００１８】
バンド本体部３６の上端、すなわち上部バンド取付部２４に取り付けられる側の端部には、前記帯状体３８と同様に、幅細、薄肉の帯状体４４の一端が縫い着けられている。帯状体４４の他端は折り返され、筒部４６が形成されている。また、帯状体４４のバンド本体部３６側の端部は大きく折り返され、その両縁が縫合されて袋部４８が形成されている。袋部４８の長さは、バンド本体部３６との逢着部からバンド本体部３６を超える位置まで延びていることが好ましく、帯状体４４の全長の半分以上延び、筒部４６の近傍位置まで延びていることがより好ましい。
【００１９】
なお、図５の符号５０ａは、作業者が左右の背負バンド１６を胸の前で連結して安定性を増すための胸バンドであり、図１に示した他方の背負バンド１６からの胸バンド５０ｂとバックル５２ａ，５２ｂにより接続されるようになっている。
【００２０】
次に、このような構成の背負バンド１６の上端部を上部バンド取付部２４に取り付ける場合について説明する。
【００２１】
まず、背負バンド１６における上側の帯状体４４の袋部４８に、当該帯状体４４と概ね同等の長さであり且つ袋部４８より僅かに小さな幅である細長い矩形のプレート（弾性部材）５４を挿入する。プレート５４は、例えばプラスチック等の復元性を有する弾性材料からなる。このプレート５４は、片持ち支持した状態でその自由端に背負バンド１６の重量と同等の荷重を下向きに加えた場合には緩やかに湾曲し、それ以上の荷重を加えた場合には大きく湾曲する程度の、比較的小さな曲げ弾性率を有している。
【００２２】
次に、帯状体４４の筒部４６を、図４の（ａ）に示すように、バー３０の上側から凹部２８に挿入し、バー３０と凹部２８の底面２８ｃとの間の隙間３２に差し通す。この際、プレート５４の先端部は凹部２８の底面２８ｃに接する状態となる。
【００２３】
帯状体４４の筒部４６及びその隣接部はプレート５４とから分離可能となっているため、図４の（ｂ）に示すように、筒部４６をバー３０の下側から前方に引っ張り出すことができ、この筒部４６に丸棒形状のピン５６を挿入する。このピン５６の長さは筒部４６の長さと同等であり、凹部２８の幅よりも若干小さい。また、ピン５６の直径は隙間３２よりも大きく、かつ、バー３０の下側の凹部２８開口から出し入れできる程度とされている。このような寸法とした結果、図３から理解される通り、筒部４６及びピン５６は突起３４と係合し、筒部４６を故意に引き出そうとしない限り、凹部２８内に保持されることになる。
【００２４】
ピン５６を筒部４６に装着後、背負バンド１６の中間部を引っ張ると、図４の（ｃ）に示すように、ピン５６の入った筒部４６は凹部２８内に収容され、筒部４６及びピン５６はバー３０に係止され、背負バンド１６の上端部の取付けは完了する。
【００２５】
この状態では、プレート５４はその弾性復元性により斜め上方に延びようとする。このため、プレート５４が挿入された袋部４８が上方に持ち上げられた形となり、帯状体４４及びバンド本体部３６の上部がアーチ状をなし、図１からも理解される通り、背負バンド１６と、液体タンク１４及び背当て２６の、作業者の背に当たる面との間に常時、広い間隙が形成される。従って、作業者はこの間隙に腕を挿入しやすく、動力噴霧機１０を容易に背負うことが可能となる。
【００２６】
また、作業者が動力噴霧機１０を背負った状態では、作業者の肩に接する部分は主としてバンド本体部３６であり、プレート５４は単に袋部４８に差し込まれているだけで、突起もないため、作業者の肩や背を痛める心配もない。
【００２７】
更に、背負バンド１６の上部が液体タンク１４から離れる方向において斜め上方に延びていることから、液体タンク１４の給液口１５から薬液を給液している際に、誤って薬液が背負バンド１６側にこぼれたとしても、薬液は背負バンド１６の上部のみを濡らすのみという効果を奏する。すなわち、薬液に濡れる部分が狭ければ、乾く時間も短くてすみ、また作業者に与える不快感も大幅に軽減することができる。
【００２８】
また、プレート５４は袋部４８に挿入されているだけであるため、脱着が容易であり、メンテナンス性が良く、異なる弾力のプレートに入れ替えて背負バンド１６の浮上り状態を変更することも可能である。更にまた、プレートを装着しないという態様を選択することもできる。
【００２９】
なお、図１〜図４における符号５８はノズルホルダであり、このノズルホルダ５８にノズル１７を保持させることが可能となっている。プレート５４が設けられている場合、ノズル１７をノズルホルダ５８に掛合させる際にプレート５４が障害となり得るが、プレート５４の弾性率は比較的小さいため、プレート５４の上からノズル１７を降ろせば、プレート５４は簡単に下方に湾曲し、何らの支障もなく、ノズル１７をノズルホルダ５８に装着することができる。勿論、動力噴霧機１０を背負う場合には、ノズル１７をノズルホルダ５８から取り外すため、プレート５４は元の状態に復帰して背負バンド１６を浮き上がらせることができる。
【００３０】
以上、本発明の好適な実施形態について詳細に説明したが、本発明は上記実施形態に限定されないことは言うまでもない。
【００３１】
例えば、上記実施形態では、プレートは背負バンドの袋部に差し込まれることとしているが、背負バンドに複数の通しリングを設け、そこに挿入することとしてもよい。また、プレートを背負バンドに取外し不可能に設けることとしてもよい。
【００３２】
また、背負バンドの上端部が弾性復元力をもって浮き上がるためには、プレート以外の形態の弾性部材を採用してもよい。
【００３３】
更に、上記実施形態では、プレートの一端が上部バンド取付部の凹部に挿入されて支持されているが、ねじ等でパンド取付部に固定するようにしてもよい。
【００３４】
更にまた、動力噴霧機以外の他の背負式作業機にも本発明は適用可能である。
【図面の簡単な説明】
【００３５】
【図１】本発明のバンド取付構造が適用された背負式動力噴霧機１０を示す斜視図である。
【図２】本発明の一実施形態に係るバンド取付構造における上部バンド取付部を詳細に示す斜視図である。
【図３】本発明の一実施形態に係るバンド取付構造を示す正面図である。
【図４】（ａ）〜（ｃ）は本発明の一実施形態に係るバンド取付構造に背負バンドを取り付ける手順を示す断面図であり、図３のIV−IV線に沿った位置での断面図である。
【図５】本発明の一実施形態に係るバンド取付構造に用いられる背負バンドを示す平面図である。
【符号の説明】
【００３６】
１０…背負式動力噴霧機（背負式作業機）、１２…背負い枠、１４…液体タンク、１６…背負バンド、１８…下部バンド取付部、２４…上部バンド取付部、２８…凹部、３０…バー、３２…隙間、３４…突起、３６…バンド本体部、３８…下側の帯状体、４４…上側の帯状体、４６…筒部、４８…袋部、５４…プレート（弾性部材）、５６…ピン。
【図１】
0004704948.tif 000002
【図２】
0004704948.tif 000003
【図３】
0004704948.tif 000004
【図４】
0004704948.tif 000005
【図５】
0004704948.tif 000006